(57)【要約】【課題】応急的に舗装したり、堤防を補修したりするための簡易舗装工法及び堤防の簡易補修工法に関し、通行がスムーズに行えるとともに、地盤の損傷を低減できる簡易舗装工法及び堤防の簡易補修工法を提供することを目的とする。【解決手段】地盤１上に型枠２を配置する第１工程Ｓ１と、型枠２にシート材４を敷設する第２工程Ｓ２と、型枠２の枠内に発泡スチロールなどの発泡樹脂材５を注入する第３工程Ｓ３と、型枠２の上部開放面にベニヤ板、金属板などの板材６を載置する第４工程Ｓ４とから構成される。【選択図】　図１
2004027608.tif 000002
【特許請求の範囲】
【請求項１】
地盤上に型枠を配置し、
前記型枠に発泡樹脂材を注入し、
前記型枠の上部開放面に板材を載置することを特徴とする簡易舗装工法。
【請求項２】
前記型枠の枠内にシート材を敷設し、
前記シート材の上に前記発泡樹脂材を注入することを特徴とする請求項１記載の簡易舗装工法。
【請求項３】
前記型枠を中空弾性部材から構成し、
現場で前記型枠の中空部分を膨張させて、前記型枠を形成し、前記地盤上に設置することを特徴とする請求項１又は２記載の簡易舗装工法。
【請求項４】
前記発泡樹脂材を、撤去する際に現場で溶解することを特徴とする請求項１乃至３のいずれか一項記載の簡易舗装工法。
【請求項５】
地盤上に型枠を配置し、
前記型枠に発泡樹脂材を注入し、
前記発泡樹脂材の表面を整形することを特徴とする簡易舗装工法。
【請求項６】
前記発泡樹脂材を固化させた後に整形することを特徴とする請求項５記載の簡易舗装工法。
【請求項７】
前記発泡樹脂材が固化する前に整形することを特徴とする請求項５記載の簡易舗装工法。
【請求項８】
堤防の補修個所の両側面に型枠を配置し、
前記型枠の内に発泡樹脂材を注入することを特徴とする堤防の簡易補修工法。
【請求項９】
前記発泡樹脂材の上面を整形することを特徴とする請求項８記載の堤防の簡易補修工法。
【請求項１０】
前記発泡樹脂材の上面に板材を載置することを特徴とする請求項８記載の堤防の簡易補修工法。
【請求項１１】
前記型枠の枠内にシート材を敷設し、
前記シート材内部に前記発泡樹脂材を注入することを特徴とする請求項８乃至１０のいずれか一項記載の堤防の簡易補修方法。
【発明の詳細な説明】
【０００１】
【発明の属する技術分野】
本発明は簡易舗装工法及び堤防の簡易補修工法に係り、特に、応急的に舗装したり、堤防を補修したりするための簡易舗装工法及び堤防の簡易補修工法に関する。
【０００２】
【従来の技術】
従来、舗装路上に重機などを通行させる場合には、舗装路上に直接、木材や金属製の板材を敷設するようにしていた。
【０００３】
また、不整地でトラックを通行させる場合には、トラックの通行をスムーズに行えるようにするために、木材や金属製の板材を敷設したり、土などにより通行路を簡易的に平坦にして通行路を確保したりしていた。
【０００４】
【発明が解決しようとする課題】
しかるに、従来、舗装路上に直接、木材や金属製の板材を敷設した場合には、重機の重量を十分に緩和することができないため、舗装路が損傷する恐れがあるなどの問題点があった。
【０００５】
また、不整地などに板材を敷設した場合には、板材が地盤に密着しないため、板材の抵抗が小さく、よって、トラックなどが通過するときに板材がずれ、スムーズな通行が行えないなどの問題点があった。
【０００６】
本発明は上記の点に鑑みてなされたもので、通行がスムーズに行えるとともに、地盤の損傷を低減できる簡易舗装工法及び堤防の簡易補修工法を提供することを目的とする。
【０００７】
【課題を解決するための手段】
本発明は、地盤上に型枠を配置し、型枠に発泡樹脂材を注入し、型枠の上部開放面に板材を載置することを特徴とする。
【０００８】
本発明によれば、地盤と板材との間に発泡樹脂材が注入されるため、板材への衝撃が発泡樹脂材により緩衝されるため、地盤が損傷することを防止できる。また、不整地などでは、地盤の形状に合わせて発泡樹脂材が充填され、板材を地盤全体で支えることができ、板材を安定化させることができる。
【０００９】
また、本発明は、型枠の枠内にシート材を敷設し、シート材の上に発泡樹脂材を注入することを特徴とする。
【００１０】
本発明によれば、型枠の枠内にシート材を敷設し、シート材の上に発泡樹脂材を注入することにより、簡易舗装を解体するときに、シート材を外すことにより発泡樹脂材を除去できるため、解体作業が容易に行える。
【００１１】
本発明は、型枠を中空弾性部材から構成し、現場で型枠の中空部分を膨張させて型枠を形成し、地盤上に設置することを特徴とする。
【００１２】
本発明によれば、型枠を中空弾性部材から構成し、現場で型枠の中空部分に気体を注入し、膨らませて型枠を形成し、地盤上に設置することにより、型枠を折りたたんで搬送し、現場で所望の形状にすることができる。よって、型枠の搬送が容易になる。
【００１３】
本発明は、簡易舗装を撤去する際に、発泡樹脂材を現場で溶解することを特徴とする。
【００１４】
本発明によれば、発泡樹脂材を現場で溶解して、再利用可能とすることにより、発泡樹脂材の量を減少させることができるため、運搬が容易になる。また、溶解した発泡樹脂材を再加工して再利用することができる。
【００１５】
また、本発明は、地盤上に型枠を配置し、型枠に発泡樹脂材を注入し、発泡樹脂材の表面を整形することを特徴とする。
【００１６】
本発明は、発泡樹脂材を固化させた後に整形することを特徴とする。
【００１７】
また、本発明は、発泡樹脂材が固化する前に整形することを特徴とする。
【００１８】
本発明によれば、地盤上に型枠を配置し、型枠に発泡樹脂材を注入し、発泡樹脂材の表面を整形することにより、発泡樹脂材の表面を通行可能とすることができる。
【００１９】
本発明は、堤防の補修個所の両側面に型枠を配置し、型枠の内に発泡樹脂材を注入することを特徴とする。
【００２０】
本発明によれば、堤防の補修個所の両側面に型枠を配置し、型枠の内に発泡樹脂材を注入することで堤防の補修を行うことにより、容易に堤防の補修を行える。また、発泡樹脂材の防水性により、河川などからの水漏れを防止できる。
【００２１】
本発明は、発泡樹脂材の上面を整形して通行路とすることを特徴とする。
本発明によれば、発泡樹脂材の上面を整形して通行路を形成することにより、簡単に通行路を形成できる。
【００２２】
本発明は、発泡樹脂材の上面に板材を載置することを特徴とする。
【００２３】
本発明によれば、発泡樹脂材の上面に板材を載置することにより重量物を通行させることが可能となる。
【００２４】
本発明は、型枠の枠内にシート材を敷設し、シート材内部に発泡樹脂材を注入することを特徴とする。
【００２５】
本発明によれば、撤去時にシート材を型枠から外すことにより、発泡樹脂材を撤去できるため、撤去作業を容易に行える。
【００２６】
【発明の実施の形態】
図１は本発明の簡易舗装工法の一実施例の工程手順を示すための図、図２は第１工程Ｓ１を説明するための図、図３は第２工程Ｓ２を説明するための図、図４は第３工程Ｓ３を説明するための図、図５は第４工程Ｓ４を説明するための図を示す。
【００２７】
本実施例の簡易舗装工程は、図１に示すように第１〜第４工程Ｓ１〜Ｓ４から構成される。第１工程Ｓ１は、図２に示すように地盤１上に型枠２を配置する工程である。
【００２８】
地盤１は、例えば、舗装路であり、重機などの通過により舗装路に損傷がないように本実施例の簡易舗装が施工される。型枠２は、木材あるいは金属などから構成される棒材を四角形に組んだものであり、地盤１と型枠２との間に大きな間隙がないように配置される。地盤１と型枠２とにより、発泡樹脂材を注入するための発泡樹脂材注入空間３が形成される。
【００２９】
第１の工程Ｓ１で型枠２が地盤１上に設置された後、第２工程Ｓ２が実行される。第２工程Ｓ２は、図３に示すように型枠２にシート材４を敷設する工程である。
【００３０】
シート材４は、ビニールなどの樹脂性シートから構成されており、型枠２の発泡樹脂材注入空間３とその周辺部にかかるように敷設される。シート材４により地盤１と型枠２との隙間が塞がれる。
【００３１】
第３工程Ｓ３は、図４に示すように型枠２の枠内に発泡樹脂材５を注入する工程である。発泡樹脂材５は、例えば、発泡スチロールなどであり、樹脂材を発泡させたものである。発泡樹脂材５は、注入時には、液状化されており、気体が混合されることで、発泡される。
【００３２】
発泡樹脂材５は、液状化された状態で、タンクＴに蓄積されており、圧送ポンプＰにより樹脂材注入空間３のシート材４上に注入される。発泡樹脂材５は、発泡樹脂材注入空間３で揮発成分が揮発して、固化する。
【００３３】
発泡樹脂材５が固化した後、第４工程Ｓ４が実行される。
【００３４】
第４工程Ｓ４は、図５に示すように型枠２の上部開放面に板材６を載置する工程である。なお、図５において、図５（Ａ）は斜視図、図５（Ｂ）は断面図を示している。板材６は、例えば、ベニヤ板、金属板から構成されている。板材６を敷設することにより平坦な通行面が形成される。
【００３５】
以上により簡易舗装が完了する。通行経路に沿って上記第１〜第４工程Ｓ１〜Ｓ４により簡易舗装を行うことにより、簡易舗装による通行路が形成される。
【００３６】
図６は簡易舗装による通行路の状態を示す図である。
【００３７】
図６に示すように簡易舗装部１１を通行経路Ｌに沿って連続的に形成することにより簡易舗装による通行路１２が形成される。この通行路１２に沿って重機などを通行させることができる。
【００３８】
通行路１２は、地盤１と板材６との間に発泡樹脂材５が充填されているため、通行路１２上を重機が通過した場合、板材６の下面全体が発泡樹脂材５により保持されるため、板材６が変形することはない。なお、発泡樹脂材５は、圧縮などに対しては強度を持つので、重機などの通行により圧縮されても砕けることはない。発泡樹脂材５により衝撃が緩衝され、地盤１を損傷することはない。
【００３９】
次に、簡易舗装を撤去する場合の作業工程について説明する。
【００４０】
図７は撤去作業の作業工程図、図８〜図１０は撤去作業の作業工程を説明するための図を示す。
【００４１】
簡易舗装撤去の作業工程は、工程Ｓ１１〜Ｓ１２から構成される。工程Ｓ１１は、図８に示すように板材６を撤去する作業工程である。撤去された板材６は、トラックなどに積み込まれて搬送される。
【００４２】
工程Ｓ１２は、発泡樹脂材５を撤去する作業工程である。発泡樹脂材５は、図９に示すように現場でシート材４ごと型枠２から外すことにより撤去される。発泡樹脂材５は、図１０に示すように粉砕されて、タンク２１に入れられる。タンク２１には、溶液２２が蓄積されている。溶液２２は、発泡樹脂材５を溶解できる溶液である。例えば、発泡樹脂材５が発泡スチロールである場合には、溶液２２は柑橘系果実皮から抽出されるリモネン液などである。
【００４３】
発泡樹脂材５は、タンク２１で溶液２２により溶解され、その量が大幅に減少することになる。よって、搬送が容易になる。なお、タンク２１は、トラック２３に搭載されており、そのまま搬送が可能とされている。
【００４４】
工程Ｓ１３は、型枠２を撤去する作業工程である。型枠２を撤去することにより元の地盤１が表出する。
【００４５】
以上のように本実施例によれば、簡易舗装を簡単に撤去することが可能となる。
【００４６】
また、上記説明では、舗装路上に簡易舗装を行う場合の動作を説明したが、不整地に簡易舗装を行うようにすることもできる。
【００４７】
図１１は不整地に上記の簡易舗装を行った場合の断面図を示す。同図中、図２〜図６、図８〜図１０と同一構成部分には同一符号を付し、その説明は省略する。
【００４８】
図１１に示すように不整地３１に上記の簡易舗装を行うことにより、発泡樹脂材５が不整地３１上の凹凸に対応して固化される。これによって、板材７との間に不要な空間が生じることがないため、板材７が湾曲したり、折れたりすることがなく、安定に保持される。よって、舗装路を安定化することができる。
【００４９】
なお、本実施例では、簡易舗装上を重量物が通行できるように、発泡樹脂材５上に板材６を敷設したが、人などの比較的軽量な物が通行する場合には、板材６は設けなくてもよい。
【００５０】
図１２は本発明の一実施例の変形例の作業工程図を示す。同図中、図１と同一工程部分には同一符号を付し、その説明は省略する。
【００５１】
本変形例は、工程Ｓ４に代えて、工程Ｓ２１を設けてなる。工程Ｓ２１は、発泡樹脂材５を整形する工程である。
【００５２】
図１３、図１４は、工程Ｓ２１を説明するための図を示す。
【００５３】
工程Ｓ２１は、例えば、図１３に示すように発泡樹脂材５が固化した後に、電熱線３１などにより不要部分をカットして、平坦化するとともに、表面にすべり止めの溝３２などを形成する。
【００５４】
また、図１４に示すように発泡樹脂材５を注入し、固化する前に型４１などで、平坦化するとともに、型押しを行い、溝４２などを形成する。
【００５５】
本変形例によれば、板材６を敷設する必要がないので、容易に簡易舗装を行える。
【００５６】
なお、本実施例の工法は、簡易舗装に限定されるものではなく、堤防などの決壊個所の簡易補修に用いることもできる。
【００５７】
図１５は本発明の堤防の簡易補修工法の一実施例の作業工程図、図１６は工程Ｓ３１を説明するための図、図１７は工程Ｓ３２を説明するための図、図１８は工程Ｓ３３を説明するための図を示す。
【００５８】
本実施例の堤防の簡易補修工法は、工程Ｓ３１〜３４から構成される。
【００５９】
工程Ｓ３１は、堤防５０の補修部分５１に型枠５２を設置する工程である。工程Ｓ３１では、図１６に示すように型枠５２が堤防外壁に設置される。なお、型枠５２は、木材や金属などから構成され、補修部分５１の堤防外壁を構成する。
【００６０】
工程Ｓ３２は、型枠５２に発泡樹脂材５３を注入する工程である。工程Ｓ３２では、図１７に示すように発泡樹脂材５３がタンクＴから圧送ポンプＰによって型枠５２に注入され、固化される。
【００６１】
工程Ｓ３３は、堤防５０の補修部分５１に天板５４を敷設する工程である。工程Ｓ３３では、図１８に示すよう天板５４が補修部分５１の上面に敷設される。天板５４は、ベニヤ板、鉄板から構成されており、堤防５０の上面に敷設される。天板５４を敷設することにより堤防５０上を通行可能となる。
【００６２】
また、発泡樹脂材５３により補修を行うことにより耐久性、防水性を向上させることができる。また、撤去も容易になる。
【００６３】
なお、本実施例では、堤防５０の上面に板材５４を敷設したが、発泡樹脂材５３を露出させるようにしてもよい。この場合、図１３、図１４に示すような方法により発泡樹脂材５３の表面を平坦化し、溝などのすべり止めを整形する。
【００６４】
【発明の効果】
上述の如く、本発明によれば、地盤上に型枠を配置し、型枠に発泡樹脂材を注入し、型枠の上部開放面に板材を載置することにより、地盤と板材との間に発泡樹脂材が挿入されるため、板材への衝撃が発泡樹脂材により緩衝され、よって、地盤が損傷することを防止できる。また、不整地などでは、地盤の形状に合わせて発泡樹脂材が充填され、板材を地盤全体で支えることができ、板材を安定化させることができ、車両などをスムーズに通行させることが可能となる。
【図面の簡単な説明】
【図１】本発明の簡易舗装工法の一実施例の作業工程図である。
【図２】第１工程Ｓ１を説明するための図である。
【図３】第２工程Ｓ２を説明するための図である。
【図４】第３工程Ｓ３を説明するための図である。
【図５】第４工程Ｓ４を説明するための図である。
【図６】簡易舗装による通行路の状態を示す図である。
【図７】撤去作業の作業工程図である。
【図８】撤去作業の作業工程を説明するための図である。
【図９】撤去作業の作業工程を説明するための図である。
【図１０】撤去作業の作業工程を説明するための図である。
【図１１】不整地に上記の簡易舗装を行った場合の断面図である。
【図１２】本発明の一実施例の変形例の作業工程図である。
【図１３】工程Ｓ２１を説明するための図である。
【図１４】工程Ｓ２１を説明するための図である。
【図１５】本発明の堤防の簡易補修工法の一実施例の作業工程図である。
【図１６】工程Ｓ３１を説明するための図である。
【図１７】工程Ｓ３２を説明するための図である。
【図１８】工程Ｓ３３を説明するための図である。
【符号の説明】
１　地盤、２　型枠、３　発泡樹脂材注入空間、４　シート材
５　発泡樹脂材、６　板材
【図１】
2004027608.tif 000003
【図２】
2004027608.tif 000004
【図３】
2004027608.tif 000005
【図４】
2004027608.tif 000006
【図５】
2004027608.tif 000007
【図６】
2004027608.tif 000008
【図７】
2004027608.tif 000009
【図８】
2004027608.tif 000010
【図９】
2004027608.tif 000011
【図１０】
2004027608.tif 000012
【図１１】
2004027608.tif 000013
【図１２】
2004027608.tif 000014
【図１３】
2004027608.tif 000015
【図１４】
2004027608.tif 000016
【図１５】
2004027608.tif 000017
【図１６】
2004027608.tif 000018
【図１７】
2004027608.tif 000019
【図１８】
2004027608.tif 000020